(57)【要約】【課題】上下動する容器が不安定とならず、容器自体を持ち上げるときに粉体が取り出されてしまうことなく、粒体を容器の孔を通して取り出すのに支障をきたさない粒体収納容器を提供する。【解決手段】底面１ａから上方に突出し、上端部を粒体Ｇの載台４ａとした垂直支柱４を設けた外容器１と、漏斗状の底面２ａに外容器の垂直支柱４の滑動管５を下方に突設し、内部に多数の粒体Ｇを収納可能とし、滑動管が垂直支柱の外周に沿うと共に、外容器の内周面１ｃに沿って上下に滑動することにより、外容器に出入りする内容器２と、天面３ｃに粒体Ｇの取出し孔１４を設け、内容器の上部に被せられる容器蓋３とからなり、外容器内に内容器が入れられた状態では、垂直支柱の載台４ａが、容器蓋の天面の取出し孔と整合するようにし、外容器の上端部と内容器の上端部の間には、上がり防止機構６を設け、外容器の上端部と内容器の下端部の間には、抜け防止機構７を設ける。【選択図】図４
2009057060.tif 000002
【特許請求の範囲】
【請求項１】
底面（１ａ）から上方に突出し、上端部を粒体（Ｇ）の載台（４ａ）とした垂直支柱（４）を設けた外容器（１）と、漏斗状の底面（２ａ）に前記外容器（１）の垂直支柱（４）の滑動管（５）を下方に突設し、内部に多数の粒体（Ｇ）を収納可能とし、前記滑動管（５）が前記垂直支柱（４）の外周に沿うと共に、外容器（１）の内周面（１ｃ）に沿って上下に滑動することにより、外容器（１）に出入りするようにした内容器（２）と、天面（３ｃ）に粒体（Ｇ）の取出し孔（１４）を設け、前記内容器（２）の上部に被せられる容器蓋（３）とからなり、前記外容器（１）内に内容器（２）が入れられた状態では、垂直支柱（４）の載台（４ａ）が、前記容器蓋（３）の天面（３ｃ）の取出し孔（１４）と整合するようにしており、前記外容器（１）の上端部（１ｂ）と内容器（２）の上端部（２ｂ）との間には、上がり防止機構（６）が設けられ、外容器（１）の上端部（１ｂ）と内容器（２）の下端部（２ｃ）との間には、抜け防止機構（７）が設けられたことを特徴とする粒体収納容器。
【請求項２】
前記上がり防止機構（６）を、外容器（１）の上端部（１ｂ）の内周面（１ｃ）に設けた凸状体（１１）と、この凸状体（１１）に緩く係合するようにした内容器（２）の上端部（２ｂ）の外周面に設けた凸状体（１２）とからなるものとし、前記抜け防止機構（７）を、外容器（１）の上端部（１ｂ）の内周面（１ｃ）に設けた前記凸状体（１１）と、この凸状体（１１）に強く係合するようにした内容器（２）の下端部（２ｃ）の外周面に設けた凸状体（１３）とからなるものとしたことを特徴とする請求項１記載の粒体収納容器。
【請求項３】
前記外容器（１）の垂直支柱（４）の載台（４ａ）を、粒体（Ｇ）の一粒分を載せることができる大きさに形成し、少し窪ませてその粒体（Ｇ）を載せ易くしたものとしたことを特徴とする請求項１記載の粒体収納容器。
【請求項４】
前記容器蓋（３）に設けた取出し孔（１４）の内周端部に、外容器（１）に設けた垂直支柱（４）上端の載台（４ａ）の周囲を、上方から被う複数のフラップ（１５）を斜め下方に向けて設けたものとしたことを特徴とする請求項１記載の粒体収納容器。
【発明の詳細な説明】
【技術分野】
【０００１】
この発明は、錠剤粒等の粒体を一粒ずつ、または任意の個数ずつ取り出し可能とした粒体収納容器に関するものである。
【背景技術】
【０００２】
従来、この種の粒体収納容器としては、例えば図９〜１１に示したように、截頭円錐形台２１と、この截頭円錐形台２１の底部２１ａに立設した支柱２２に沿って上下動するように設けた容器２３とを有したものが存在する。容器２３は漏斗状の底部２３ａを有し、この底部２３ａは支柱２２に沿って上下動するように設けられた滑動管２４に連続している。容器２３の頂部２３ｂは、この頂部２３ｂの中央に形成された孔２５に向かって内方に傾いている。容器２３が下げられたときには、この容器２３を塞ぐ目的のため、支柱２２の頂部２２ａが容器２３の頂部２３ｂの孔２５と整合するようになっている。支柱２２の頂部２２ａの下には周鍔２２ｂが設けられ、この周鍔２２ｂは容器２３が支柱２２から外れることを防ぐために容器２３の底部２３ａで滑動管２４の頂部２４ａと係合するようになっている。
【０００３】
そして、図１０に示したように、容器２３が持ち上げられた位置では、頂部２３ｂの孔２５が開口し、この孔２５から容器２３内に錠剤粒等の粒体Ｇを投入し、容器２３を粒体Ｇで満たすことができる。次に、容器２３が下げられ、粒体Ｇの取り出しの準備がされる。一つの粒体Ｇを取り出すためには、支柱２２の周鍔２２ｂが容器２３の滑動管２４の頂部２４ａと係合するまで容器２３を持ち上げればよく、粒体Ｇは支柱２２の頂部２２ａに載せられる。次に容器２３が下げられたときに、単一の粒体Ｇが支柱２２の上に孔２５を通して取り出されることになる（特許文献１）。
【特許文献１】特公昭３８−１５０３４号公報（第２頁、第１、３、４図）
【発明の開示】
【発明が解決しようとする課題】
【０００４】
しかしながら、上記従来の容器は、截頭円錐形台２１の底部２１ａに立設した支柱２２に沿って、容器２３の底部２３ａの滑動管２４が滑動して、上下動するように設けたものとしているため、容器２３を持ち上げた状態では容器２３が支柱２２にしか支えられていないので、不安定となって操作状態が悪くなるという問題点を有していた。
【０００５】
さらに、上記従来の容器では、容器２３内から粉体Ｇを取り出すのではなく、容器自体を持ち上げようとした場合、截頭円錐形台２１を持ち上げるのではなく、不用意に容器２３を持ち上げてしまうと、容器自体が持ち上げられないばかりか、取り出す必要がない粉体Ｇが取り出されてしまうことがあり、取り扱い難いという問題点を有していた。
【０００６】
また、上記従来の容器では、粉体Ｇが支柱２２の頂部２２ａに載せられたときに、その粉体Ｇが支柱２２の頂部２２ａから食み出した場合には、容器２３が下げられると、粉体Ｇが容器２３の孔２５の内縁に引っ掛かって、支柱２２の頂部２２ａから落下してしまい、支柱２２の上に孔２５を通して取り出されなくなることがあり、粉体Ｇを取り出すために支障をきたすという問題点を有していた。
【０００７】
そこで、この発明は、上記従来の問題点を解決することをその課題としており、支柱を上下動する容器が不安定とならず、さらに容器自体を持ち上げるときに、取り出す必要がない粉体が取り出されてしまうことなく、また粒体が支柱の上に容器の孔を通して取り出すのに支障をきたすことのない粒体収納容器を提供することを目的としてなされたものである。
【課題を解決するための手段】
【０００８】
そのため、この発明の粒体収納容器は、底面１ａから上方に突出し、上端部を粒体Ｇの載台４ａとした垂直支柱４を設けた外容器１と、漏斗状の底面２ａに前記外容器１の垂直支柱４の滑動管５を下方に突設し、内部に多数の粒体Ｇを収納可能とし、前記滑動管５が前記垂直支柱４の外周に沿うと共に、外容器１の内周面１ｃに沿って上下に滑動することにより、外容器１に出入りするようにした内容器２と、天面３ｃに粒体Ｇの取出し孔１４を設け、前記内容器２の上部に被せられる容器蓋３とからなり、前記外容器１内に内容器２が入れられた状態では、垂直支柱４の載台４ａが、前記容器蓋３の天面３ｃの取出し孔１４と整合するようにしており、前記外容器１の上端部１ｂと内容器２の上端部２ｂとの間には、上がり防止機構６が設けられ、外容器１の上端部１ｂと内容器２の下端部２ｃとの間には、抜け防止機構７が設けられたものとしている。
【０００９】
さらに、この発明の粒体収納容器は、前記上がり防止機構６を、外容器１の上端部１ｂの内周面１ｃに設けた凸状体１１と、この凸状体１１に緩く係合するようにした内容器２の上端部２ｂの外周面に設けた凸状体１２とからなるものとし、前記抜け防止機構７を、外容器１の上端部１ｂの内周面１ｃに設けた前記凸状体１１と、この凸状体１１に強く係合するようにした内容器２の下端部２ｃの外周面に設けた凸状体１３とからなるものとしている。
【００１０】
また、この発明の粒体収納容器は、前記外容器１の垂直支柱４の載台４ａを、粒体Ｇの一粒分を載せることができる大きさに形成し、少し窪ませてその粒体Ｇを載せ易くしたものとしている。
【００１１】
さらにまた、この発明の粒体収納容器は、前記容器蓋３に設けた取出し孔１４の内周端部に、外容器１に設けた垂直支柱４上端の載台４ａの周囲を、上方から被う複数のフラップ１５を斜め下方に向けて設けたものとしている。
【発明の効果】
【００１２】
この発明の粒体収納容器は、以上に述べたように構成されているので、支柱を上下動する容器が不安定とならず、操作状態が悪くならないものとなった。さらに、この発明の容器は、容器自体を持ち上げるときに、取り出す必要がない粉体が取り出されてしまうようなことはなく、取り扱い易いものとなった。また、この発明の容器は、粒体が支柱の上に容器の孔を通して取り出されるのに支障をきたすことのないものとなり、粒体を取り出す機能に優れたものとなった。
【発明を実施するための最良の形態】
【００１３】
以下、この発明の粒体収納容器の実施の形態を、図面に基づいて詳細に説明する。
【００１４】
この発明の粒体収納容器は、図示したように、外容器１と、この外容器１に出入りするようにした内容器２と、この内容器２の上部に被せられる容器蓋３とからなっている。
【００１５】
外容器１は、平板状の底面１ａを有し、この底面１ａの中央部から上方に突出し、上端部を粒体Ｇの載台４ａとした垂直支柱４を設けたものとしている。この垂直支柱４の載台４ａは、図示したものでは、平面が略四角形状の粒体Ｇの一粒分を載せることができる大きさに形成しており、少し窪ませてその粒体Ｇを載せ易くしたものとしているが、粒体Ｇの二粒分や三粒分を、またはそれ以上の任意の個数を載せることができる大きさに形成することができる。
【００１６】
内容器２は、漏斗状の底面２ａを有し、この底面２ａの中央部に前記外容器１の垂直支柱４の滑動管５を下方に突設し、内部に多数の粒体Ｇを収納可能としている。この内容器２の滑動管５が前記外容器１の垂直支柱４の外周に沿うと共に、内容器２が前記外容器１の内周面１ｃに沿って上下に滑動すことにより、内容器２が外容器１に出入りするようにしている。
【００１７】
そして、前記外容器１の上端部１ｂと内容器２の上端部２ｂとの間には、上がり防止機構６が設けられ、外容器１の上端部１ｂと内容器２の下端部２ｃとの間には、抜け防止機構７が設けられている。上がり防止機構６は、図３の円で囲んだ拡大図に示したように、外容器１の上端部１ｂの内周面１ｃに設けた凸状体１１と、この凸状体１１に一定の力で解除可能に緩く係合するようにした内容器２の上端部２ｂの外周面に設けた凸状体１２とからなるものとしている。抜け防止機構７は、図６の円で囲んだ拡大図に示したように、外容器１の上端部１ｂの内周面１ｃに設けた前記凸状体１１と、この凸状体１１に一定の力でも解除不可能に強く係合するようにした内容器２の下端部２ｃの外周面に設けた凸状体１３とからなるものとしている。なお、前記一定の力とは、使用者が容器蓋３の周囲を手指で摘んで、この発明の粒体収納容器全体を持ち上げる力より大きい力であればよい。
【００１８】
容器蓋３は、内容器２の上端部２ｂの外周面に係着する係着部３ａの下方に、外容器１の上端部１ｂの外周面に係着する係着部３ｂを有しており、これら係着部３ａと係着部３ｂの間には、薄肉部８を介して両者を切り離し可能に連結したバンド状のピルファープルーフ部９を設けたものとしている。前記ピルファープルーフ部９は、使用前は図１〜４に示したように、外容器１と容器蓋３とを密閉状態に保って連結しているが、使用時には図５〜８に示したように、ピルファープルーフ部９の端部に設けた摘み部９ａを摘んで引き剥がすことにより、このピルファープルーフ部９を取り去り、外容器１と容器蓋３とを切り離している。
【００１９】
さらに、容器蓋３は、天面３ｃの中央部に粒体Ｇの取出し孔１４を設けたものとしている。この取出し孔１４には、プルトップキャップ１０が取り付けられており、使用前は図１〜４に示したように、密閉状態を保つため閉じられており、使用時には図５〜８に示したように、プルトップキャップ１０の端部に設けたリング状の摘み部１０ａを上方へ引っ張って、このプルトップキャップ１０を外すようにしている。また、前記取出し孔１４の内周端部には、外容器１に設けた垂直支柱４上端の載台４ａの周囲を、上方から被う複数のフラップ１５を斜め下方に向けて設けたものとしている。
【００２０】
粒体Ｇは、例えば、錠剤粒とした医薬品、粒状のガム、粒状のキャンデーなどが挙げられるが、その他、適宜のものとすることができる。
【００２１】
そして、この発明の粒体収納容器は、外容器１内に内容器２が入れられた状態では、垂直支柱４の載台４ａが、前記容器蓋３の天面３ｃの取出し孔１４と整合するようにしている。
【００２２】
以上のように構成されたこの発明の粒体収納容器は、外容器１内に内容器２を入れた状態において、容器蓋３を被せる前に、内容器２内に多数の粒体Ｇを収納しておく。そして、この容器蓋３の係着部３ａが内容器２の上端部２ｂの外周面に係着するようにし、容器蓋３の係着部３ｂが外容器１の上端部１ｂの外周面に係着するようにして、容器蓋３を被せておく。
【００２３】
そこで、この発明の粒体収納容器から粒体Ｇを取り出すには、先ず容器蓋３の取出し孔１４に取り付けられたプルトップキャップ１０の端部に設けた摘み部１０ａを上方へ引っ張って、このプルトップキャップ１０を外し、取出し孔１４を開口しておく。
【００２４】
次に、ピルファープルーフ部９の端部に設けた摘み部９ａを摘んで引き剥がすことにより、このピルファープルーフ部９を取り去り、外容器１と容器蓋３とを切り離す。そこで、容器蓋３の周囲を片手の手指で掴んで持ち上げると、この容器蓋３に連れて外容器１と内容器２とが持ち上げられるが、この時もう片手の手指で外容器１を押さえておくと、容器蓋３を持ち上げようとする力が内容器２に作用し、一定の力を加えると、この力によって内容器２の上端部２ｂの凸状体１２が外容器１の上端部１ｂの凸状体１１を乗り越え、内容器２の下端部２ｃの凸状体１３が外容器１の内周面１ｃに沿うと共に、内容器２の滑動管５が外容器１の垂直支柱４に外周に沿って、内容器２が外容器１内から持ち上げられる。そして、内容器２の下端部２ｃの凸状体１３が外容器１の上端部１ｂの前記凸状体１１に係合して止まる。
【００２５】
すると、図７に示したように、内容器２に収納された粒体Ｇが漏斗状の底面２ａを滑って滑動管５に入り、垂直支柱４上端の載台４ａに載せられる。
【００２６】
この状態で、手指で掴んだ容器蓋３を離すか、容器蓋３を手指で掴んだまま下げると、前記内容器２の凸状体１３が外容器１の内周面１ｃに沿うと共に、内容器２の滑動管５が外容器１の垂直支柱４の外周に沿って、この内容器２が外容器１内に入る。
【００２７】
すると、図８に示したように、垂直支柱４上端の載台４ａに載せられた粒体Ｇは、容器蓋３の取出し孔１４から外に取り出されることになる。
【００２８】
したがって、この発明の粒体収納容器では、容器蓋３の周囲を手指で掴んで内容器２を持ち上げたり、下げたりすることにより、この内容器２を外容器１に出入りさせれば、容器蓋３の取出し孔６から続けて粒体Ｇが取り出されることになる。
【００２９】
そして、この発明の粒体収納容器では、前記粒体Ｇを続けて取り出さないときには、手指で掴んだ容器蓋３を離すか、容器蓋３を手指で掴んだまま下げた後、さらにこの容器蓋３を押さえ付け、この力によって外容器１内に入った内容器２の上端部２ａの凸状体１２が外容器１の上端部１ａの凸状体１１を乗り越え、内容器２がさらに外容器１内に入るようにしておく。
【００３０】
すると、この状態で再び容器蓋３の周囲を片手の手指で掴んで持ち上げても、この容器蓋３に連れて外容器１も内容器２も持ち上げられるので、前記粒体Ｇは続けて取り出されなくなる。また、容器自体を持ち上げようとして、外容器１の周囲ではなく、不用意に容器蓋３の周囲を手指で掴んで持ち上げても、粒体Ｇが取り出されることがなくなる。
【００３１】
さらに、この発明の粒体収納容器では、前記内容器２を外容器１に出入りさせる場合に、内容器２の凸状体１３が外容器１の内周面１ｃに沿うと共に、内容器２の滑動管５が外容器１の垂直支柱４の外周に沿うので、安定した状態となっている。
【００３２】
また、この発明の粒体収納容器では、前記載台４ａに載せられた粒体Ｇが、載台４ａの周囲から食み出してその載台４ａに載せられていても、前記取出し孔１４の内周端に設けたフラップ１２によって、その粒体Ｇが載台４ａの中央部に寄せられ、取出し孔１４の内周端に当たることなく、その取出し孔１４からスムーズに外に取り出されることになる。
【図面の簡単な説明】
【００３３】
【図１】この発明の粒体収納容器の斜視図である。
【図２】この発明の粒体収納容器の分解斜視図である。
【図３】この発明の粒体収納容器の半断面斜視図である。
【図４】この発明の粒体収納容器の半断面分解斜視図である。
【図５】この発明の粒体収納容器の外容器から内容器を持ち上げた状態の斜視図である。
【図６】この発明の粒体収納容器の外容器から内容器を持ち上げた状態の半断面斜視図である。
【図７】この発明の粒体収納容器から粒体を取り出そうとしている状態の半断面斜視図である。
【図８】この発明の粒体収納容器から粒体を取り出し終わった状態の半断面斜視図である。
【図９】従来の粒体収納容器の斜視図である。
【図１０】従来の粒体収納容器から粒体を取り出そうとしている状態の一部断面図である。
【図１１】従来の粒体収納容器から粒体を取り出し終わった状態の断面図である。
【符号の説明】
【００３４】
１  外容器
１ａ  底面
１ｂ  上端部
１ｃ  内周面
２  内容器
２ａ  底面
２ｂ  上端部
２ｃ  下端部
３  容器蓋
３ｃ  天面
４  垂直支柱
４ａ  載台
５  滑動管
６  上がり防止機構
７  抜け防止機構
１１  凸状体
１２  凸状体
１３  凸状体
１４  取出し孔
１５  フラップ
Ｇ  粒体
【図１】
2009057060.tif 000003
【図２】
2009057060.tif 000004
【図３】
2009057060.tif 000005
【図４】
2009057060.tif 000006
【図５】
2009057060.tif 000007
【図６】
2009057060.tif 000008
【図７】
2009057060.tif 000009
【図８】
2009057060.tif 000010
【図９】
2009057060.tif 000011
【図１０】
2009057060.tif 000012
【図１１】
2009057060.tif 000013